(57)【特許請求の範囲】
【請求項１】
ＩＥＥＥ１３９４インターフェースを有する外部機器と接続するためのＩＥＥＥ１３９４インターフェースと、
再生機能を有し、前記外部機器から問い合わされた前記ＩＥＥＥ１３９４インターフェースのＡＶ／Ｃ TRANSPORT STATE statusコマンドに対応するサブユニットと、
前記サブユニットをＧＵＩ操作画面によりＧＵＩ操作するユーザ操作手段と、
前記外部機器から前記サブユニットに対して発行された前記ＩＥＥＥ１３９４インターフェースのＡＶ／Ｃ TRANSPORT STATE statusコマンドに対してＡＶ／Ｃ STABLEレスポンスを前記外部機器に送信するように制御する制御手段とを備え、
前記制御手段は、前記サブユニットの動作状態を確認し、
前記サブユニットが再生状態の場合は、再生状態を示すSTABLEレスポンスを前記外部機器に送信し、
前記サブユニットが再生状態でない場合は、さらに、前記ユーザ操作手段による前記ＧＵＩ操作が行われているか否かを検出し、前記ユーザ操作手段による前記ＧＵＩ操作が行われていない場合は、非再生状態を示すSTABLEレスポンスを前記外部機器に送信し、前記ユーザ操作手段による前記ＧＵＩ操作が行われている場合は、前記サブユニットの前記ユーザ操作手段による前記ＧＵＩ操作の画面を表示するため再生状態を示すSTABLEレスポンスを前記外部機器に送信する情報処理装置。
【請求項２】
前記サブユニットは、テープレコーダ／プレーヤ（Ｔａｐｅ  ｒｅｃｏｒｄｅｒ／ｐｌａｙｅｒ）サブユニット、ディスク（Ｄｉｓｃ）サブユニットのいずれかである請求項１に記載の情報処理装置。
【発明の詳細な説明】
【０００１】
【発明の属する技術分野】
本発明は、ＩＥＥＥ１３９４インターフェースを具備する情報処理装置に関する。
【０００２】
【従来の技術】
図１はＩＥＥＥ１３９４インターフェースを具備する情報処理装置により構成された情報視聴システムの一例を示し、デジタル放送受信機２とデジタルＶＴＲ６がそれぞれＩＥＥＥ１３９４インターフェース（Ｉ／Ｆ）２Ａ、６Ａを具備している。モニタ４はこの例では具備していない。デジタル放送受信機２はチューナサブユニット２Ｂにより、アンテナ１からのデジタル放送信号を受信してデジタル信号（ＭＰＥＧ２トランスポート・ストリーム）を復号してアナログの映像・音声信号を生成し、映像／音声ケーブル３を介してモニタ４に出力する。このとき、モニタ４にはデジタル放送の映像が表示される。
【０００３】
さらに、デジタル放送受信機２は上記処理と並行して、ＩＥＥＥ１９３４バス５を介して接続されているデジタルＶＴＲ６の動作状態を監視するために、デジタルＶＴＲ６に具備されたテープレコーダ／プレーヤサブユニット６Ｂ（以下テープサブユニット）のテープ走行メカニズムの状態についてデジタルＶＴＲ６に問い合わせを行う。
【０００４】
ここで、デジタルＶＴＲ６に具備されている再生ボタンを押下するなど、ユーザからデジタルＶＴＲ６に対して再生動作が指示されると、デジタルＶＴＲ６はテープサブユニット６Ｂのテープ走行メカニズムを再生状態に移行させ、テープに記録されたデジタル信号（ＭＰＥＧ２トランスポート・ストリーム）の再生処理を開始し、Isochronous（アイソクロナス）パケット化してＩＥＥＥ１３９４バス５に出力する。アナログ信号が記録されていた場合には、いったん符号化を行ってデジタル信号を生成してから、Isochronousパケット化してＩＥＥＥ１３９４バス５に出力する。
【０００５】
デジタル放送受信機２はデジタルＶＴＲ６への問い合わせに対するレスポンスによりテープサブユニット６Ｂが再生状態になったことを検出すると、信号入力を自身のチューナサブユニット２ＢからＩＥＥＥ１３９４Ｉ／Ｆ２Ａに切り替え、デジタルＶＴＲ６からＩＥＥＥ１３９４バス５に送出されたIsochronousパケットを受信し、デジタル信号を復号してアナログの映像・音声信号を生成し、映像／音声ケーブル３を介してモニタ４に出力する。このとき、モニタ４にはデジタルＶＴＲ６により再生される信号の映像が表示される。
【０００６】
【発明が解決しようとする課題】
ところで、デジタルＶＴＲ６の操作には、グラフィカル・ユーザ・インターフェース（以下ＧＵＩ）を伴うものがある。例えば番組の予約録画を設定する場合、ユーザは開始時刻・終了時刻、録画チャンネルなどの情報をＧＵＩ画面上で確認しながら機器操作を行う。あるいは、テープに記録されている番組のリストをＧＵＩ画面上に表示し、ユーザが視聴したい番組を選択操作することで、その番組の再生が開始されるナビゲーション機能も考えられる。ユーザ操作によりＧＵＩを伴う操作状態になった場合、デジタルＶＴＲ６はＧＵＩ画像の符号化を行い、Isochronousパケット化してＩＥＥＥ１３９４バス５に出力する。
【０００７】
ところが、例えばデジタルＶＴＲ６で再生を行っていない状況では、テープサブユニット６Ｂが再生状態でないため、デジタル放送受信機２は信号入力を自身のチューナサブユニット２ＢからＩＥＥＥ１３９４Ｉ／Ｆ２Ａに切り替えず、結果としてモニタ４にはデジタル放送の映像が表示されることとなり、ユーザがデジタルＶＴＲ６のＧＵＩ画面をモニタ４上で確認することができないという問題点がある。
【０００８】
本発明は上記従来例の問題点に鑑み、再生機能を有するサブユニットが再生状態でない場合にも外部機器の画面に自機のＧＵＩ画面を表示することができる情報処理装置を提供することを目的とする。
【０００９】
【課題を解決するための手段】
本発明は上記目的を達成するために、ＧＵＩによるユーザ操作手段による操作が行われている場合に、サブユニットが再生中であることを外部機器が検知可能なように、サブユニットを仮想的な再生中状態になるようにしたものである。
すなわち本発明によれば、ＩＥＥＥ１３９４インターフェースを有する外部機器と接続するためのＩＥＥＥ１３９４インターフェースと、
再生機能を有し、前記外部機器から問い合わされた前記ＩＥＥＥ１３９４インターフェースのＡＶ／Ｃ TRANSPORT STATE statusコマンドに対応するサブユニットと、
前記サブユニットをＧＵＩ操作画面によりＧＵＩ操作するユーザ操作手段と、
前記外部機器から前記サブユニットに対して発行された前記ＩＥＥＥ１３９４インターフェースのＡＶ／Ｃ TRANSPORT STATE statusコマンドに対してＡＶ／Ｃ STABLEレスポンスを前記外部機器に送信するように制御する制御手段とを備え、
前記制御手段は、前記サブユニットの動作状態を確認し、
前記サブユニットが再生状態の場合は、再生状態を示すSTABLEレスポンスを前記外部機器に送信し、
前記サブユニットが再生状態でない場合は、さらに、前記ユーザ操作手段による前記ＧＵＩ操作が行われているか否かを検出し、前記ユーザ操作手段による前記ＧＵＩ操作が行われていない場合は、非再生状態を示すSTABLEレスポンスを前記外部機器に送信し、前記ユーザ操作手段による前記ＧＵＩ操作が行われている場合は、前記サブユニットの前記ユーザ操作手段による前記ＧＵＩ操作の画面を表示するため再生状態を示すSTABLEレスポンスを前記外部機器に送信する情報処理装置が提供される。
【００１０】
【発明の実施の形態】
以下、図面を参照して本発明の実施の形態について説明する。図１は本発明に係る情報処理装置の一実施形態であるデジタルＶＴＲを有する情報視聴システムを示すブロック図、図２、図３は図１のデジタルＶＴＲの処理を説明するためのフローチャートである。
【００１１】
図１に示す構成は、従来例で既に説明したのでここでは詳細な説明を省略する。図２、図３は図１に示すデジタルＶＴＲ６における「TRANSPORT STATE status」（トランスポート  ステート  ステイタス）コマンドの処理手順を示したフローチャートである。「TRANSPORT STATE status」コマンドは、１３９４ TRADE ASSOCIATION（トレード  アソシエーション）により規定されたＡＶ/Ｃコマンドであり、テープサブユニット６Ｂにおいてはテープ走行系メカニズムの現在の状態を問い合わせるものである。１３９４ TRADE ASSOCIATIONは、テープサブユニット６Ｂにおいては必ずこの「TRANSPORT STATE status」コマンドをサポートするよう規定しており、例えば外部機器からＩＥＥＥ１３９４バスを介してデジタルＶＴＲの再生状態を問い合わせる際には一般的に使用されるコマンドである。
【００１２】
図２、図３において、デジタルＶＴＲ６は外部機器から自機が備えるテープサブユニット６Ｂに対する「TRANSPORT STATE status」コマンドを受信すると（ステップＳ１）、まずテープ走行系メカニズムの現在の状態をSTABLE（ステーブル）レスポンスとして通知できるかを確認する。ステップＳ２、Ｓ３、Ｓ４においてそれぞれ、NOT IMPLEMENTED（ノット  インプレメンテッド）レスポンス、REJECTED（リジェクテッド）レスポンス、IN TRANSITION（イン  トランジション）レスポンスを返す状況にあると判断される場合には、図３に示すステップＳ１０、Ｓ１１、Ｓ１２へ進み、ＡＶ/Ｃレスポンスを外部機器へ送信して「TRANSPORT STATE status」コマンド処理を終了する。このときの各レスポンスを送信する判断条件については、本発明とは直接関係ないものであるので、ここでは省略する。
【００１３】
次にテープ走行系メカニズムの動作状態を確認し（ステップＳ５）、再生状態であれば（yes）、現在の動作状態（すなわち再生状態）を示すSTABLEレスポンスを生成する（ステップＳ７）。ステップＳ５で再生状態でなければ（no）、さらにＧＵＩ操作状態を確認する（ステップＳ６）。ＧＵＩ操作状態であれば（yes）、仮想的に再生状態にあるものとして再生状態を示すSTABLEレスポンスを生成する（ステップＳ８）。ＧＵＩ操作状態でなければ（no）、現在の動作状態を示すSTABLEレスポンスを生成する（ステップＳ７）。最後に、ステップＳ７あるいはステップＳ８で生成されたSTABLEレスポンスを外部機器に送信して（ステップＳ９）、「TRANSPORT STATE status」コマンド処理を終了する。
【００１４】
続いて、本発明を適用した上記デジタルＴＶにより視聴システムを構成した場合の動作について図１を使用して説明する。デジタル放送受信機２は、ＩＥＥＥ１３９４バス５に接続されているデジタルＶＴＲ６の動作状態を監視するために、テープサブユニット６Ｂに対して「TRANSPORT STATE status」コマンドを定常的に送信している。ユーザ操作によりＧＵＩを伴う操作状態になった場合、デジタルＶＴＲ６はＧＵＩ画像の符号化を行い、Isochronousパケット化してＩＥＥＥ１３９４バス５に出力する。さらに、デジタル放送受信機２からの「TRANSPORT STATE status」コマンドに対して、再生状態を示すSTABLEレスポンスを返す。
【００１５】
デジタル放送受信機２はテープサブユニット６Ｂが再生状態になったことを検出して、信号入力を自身のチューナサブユニット２ＢからＩＥＥＥ１３９４Ｉ／Ｆ２Ａに切り替え、デジタルＶＴＲ６からＩＥＥＥ１３９４バス５に送出されたIsochronousパケットを受信し、デジタル信号を復号してアナログの映像・音声信号を生成し、映像／音声ケーブル３を介してモニタ４に出力する。このとき、モニタ４にはデジタルＶＴＲ６のＧＵＩ操作画面が表示される。すなわち、デジタルＶＴＲ６をユーザが操作する際に、モニタ４の映像が自動的にＧＵＩ画面に切り替わる。
【００１６】
デジタル放送受信機２によっては、テープサブユニット６Ｂが再生状態になったことを検出した際、「OUTPUT SIGNAL MODE status」（アウトプット  シグナル  モード  ステータス）コマンドをデジタルＶＴＲ６に対して送信し、デジタルＶＴＲ６から出力される信号がＤ−ＶＨＳデジタル信号であることを確認してから、入力信号を切り替える。「OUTPUT SIGNAL MODE status」コマンドは、１３９４ TRADE ASSOCIATIONにより規定されたＡＶ／Ｃコマンドであり、テープサブユニット６Ｂにおいては、出力信号の種別を問い合わせるものである。デジタルＶＴＲ６は、外部機器から自機が備えるテープサブユニット６Ｂに対する「OUTPUT SIGNAL MODE status」コマンドを受信した場合に、ＧＵＩ操作状態であれば、Ｄ−ＶＨＳデジタル信号を示す種別を返すものとする。
【００１７】
また、図１ではバス５が示されているが、ＩＥＥＥ１３９４機器が３台以上の場合には、デイジーチェーン又はツリーで接続される。また、本発明はデジタルＶＴＲ６に限定されず、ディスクプレーヤのような再生機能を有するサブユニットを備えた機器にも適用することができる。
【００１８】
【発明の効果】
以上説明したように本発明によれば、ＧＵＩによるユーザ操作手段による操作が行われている場合に、サブユニットが再生中であることを外部機器が検知可能なように、サブユニットを仮想的な再生中状態になるようにしたので、再生機能を有するサブユニットが再生状態でない場合にも外部機器の画面にサブユニットのＧＵＩ画面を表示することができる。
【図面の簡単な説明】
【図１】本発明に係る情報処理装置の一実施形態であるデジタルＶＴＲを有する情報視聴システムを示すブロック図である。
【図２】図１のデジタルＶＴＲの処理を説明するためのフローチャートである。
【図３】図１のデジタルＶＴＲの処理を説明するためのフローチャートである。
【符号の説明】
２  デジタル放送受信機（外部機器）
２Ａ  ＩＥＥＥ１３９４インターフェース（Ｉ／Ｆ）
４  モニタ（外部機器）
６  デジタルＶＴＲ
６Ａ  ＩＥＥＥ１３９４インターフェース（Ｉ／Ｆ）
６Ｂ  テープサブユニット
【図１】
0004117601.tif 000002
【図２】
0004117601.tif 000003
【図３】
0004117601.tif 000004